(57)【要約】【課題】抑圧特性を改善したＡＭ受信回路を提供する。【解決手段】アンテナで受信された放送波信号から中間周波信号を生成し、当該中間周波信号を増幅して出力する中間周波増幅部と、前記放送波信号の電界強度に応じて、前記中間周波増幅部のゲインを設定するＡＧＣ（Automatic Gain Control）部と、前記中間周波増幅部から出力される中間周波信号を検波するＡＭ検波部と、を備えたＡＭ受信回路において、前記音声信号の所定周波数帯域を抽出するフィルタ部と、前記フィルタ部から抽出される前記所定周波数帯域の音声信号をブーストまたはアッテネートする増幅部と、前記放送波信号の電界強度に応じて、前記フィルタ部のフィルタ特性の制御および前記増幅部のブースト機能またはアッテネート機能の設定を行う制御部と、を有する音質補正部、を備えたことを特徴とする。【選択図】図３
2005286789.tif 000002
【特許請求の範囲】
【請求項１】
アンテナで受信された放送波信号から中間周波信号を生成し、当該中間周波信号を増幅して出力する中間周波増幅部と、前記放送波信号の電界強度に応じて、前記中間周波増幅部のゲインを設定するＡＧＣ（Automatic Gain Control）部と、前記中間周波増幅部から出力される中間周波信号を検波するＡＭ検波部と、を備えたＡＭ受信回路において、
前記音声信号の所定周波数帯域を抽出するフィルタ部と、前記フィルタ部から抽出される前記所定周波数帯域の音声信号をブーストまたはアッテネートする増幅部と、前記放送波信号の電界強度に応じて、前記フィルタ部のフィルタ特性の制御および前記増幅部のブースト機能またはアッテネート機能の設定を行う制御部と、を有する音質補正部、
を備えたことを特徴とするＡＭ受信回路。
【請求項２】
前記フィルタ部は、前記音声信号の高域側の周波数帯域成分を減衰する低域通過フィルタと、前記低域通過フィルタから出力される音声信号の低域側の周波数帯域成分を減衰する高域通過フィルタと、からなることを特徴とする請求項１に記載のＡＭ受信回路。
【請求項３】
前記低域通過フィルタは、前記放送波信号の所定の電界強度範囲において、当該電界強度が弱くなるにつれて、前記音声信号の高域側の周波数帯域成分をより減衰するフィルタ特性となり、
前記高域通過フィルタは、前記放送波信号の所定の電界強度範囲において、当該電界強度が弱くなるにつれて、前記低域通過フィルタから出力される音声信号の低域側の周波数帯域成分をより減衰するフィルタ特性となる、ことを特徴とする請求項２に記載のＡＭ受信回路。
【請求項４】
前記制御部は、前記ＡＧＣ回路から出力されるシグナルメータ信号に応じて、前記フィルタ部のフィルタ特性の制御と、前記増幅部のブースト機能またはアッテネート機能の設定と、を行うことを特徴とする請求項１乃至３の何れかに記載のＡＭ受信回路。
【請求項５】
前記中間周波増幅部から出力される中間周波信号の搬送波周波数成分を抽出する中間周波用フィルタと、前記中間周波フィルタの出力を積分する積分器と、を有し、
前記制御部は、
前記放送波信号の電界強度が所定値より小である場合、前記積分器の積分出力に応じて、前記フィルタ部のフィルタ特性の制御と、前記増幅部のブースト機能またはアッテネート機能の設定と、を行い、
前記放送波信号の電界強度が所定値より大である場合、前記ＡＧＣ回路から出力されるシグナルメータ信号に応じて、前記フィルタ部のフィルタ特性の制御と、前記増幅部のブースト機能またはアッテネート機能の設定と、を行う、ことを特徴とする請求項１乃至３の何れかに記載のＡＭ受信回路。
【発明の詳細な説明】
【技術分野】
【０００１】
本発明は、放送波信号の電界強度に応じて、音声信号の音質補正を行うＡＭ受信回路に関する。
【背景技術】
【０００２】
ＡＭ（振幅変調）方式は、伝送したい放送波信号（変調信号）を、放送局から放射可能な周波数（搬送波）の振幅に重畳させて伝送する方法であって、主に中波ラジオ放送（５２６．５〜１６０６．５ｋＨｚ）に用いられている。中波放送用周波数帯の電波は、地表波による伝播のほか、特に夜間には地上１００ｋｍ付近の電離層（Ｅ層）で反射する空間波による伝播も加わり、広いサービスエリアを確保することができるとともに、車などの移動体に対しても安定したサービスができるという特徴がある。
【０００３】
ＡＭ信号を受信するＡＭ受信回路において、一般にスーパーヘテロダイン検波方式が用いられている。スーパーヘテロダイン検波方式とは、放送局からの信号と受信装置に内蔵した発振(局部発振）回路による信号とを合成し、このビートを検波して中間周波に置き換えて増幅し、復調する方式をいい、一般には高い増幅利得を得やすい、混信を防ぎやすいという特徴を有している。更に、ＡＭ信号を受信する受信回路には希望する放送波の周波数のみ通過させるバンドパスフィルタが必要とされるところであるが、フィルタの帯域特性を変えずにその中心周波数を連続的に変化させることは非常に難しいため、このスーパーへテロダイン検波方式では、局部発振周波数を変化させ、一定の周波数に変換された中間周波数のみを通過させる方法が採用されている。
【０００４】
しかし、このＡＭ受信回路において、アンテナから受信される放送波信号の電界強度に応じて、ＡＭ検波レベルが変動し、これに伴って混信が発生しやすくなったりする可能性がある。
【０００５】
そこで、受信されたＲＦ（Radio Frequency）信号を処理するフロントエンド部や、ＩＦ（Intermediate Frequency）信号を処理するＩＦ部におけるゲインを設定するためのＡＧＣ回路を備え、放送波信号の電界強度に応じたＡＧＣ回路の動作によって上記ゲインを変更し、混信の発生を抑える方法が提案されている(例えば特許文献１参照）。これにより、放送波信号の電界強度の変動に伴う音声信号の出力変動を抑えることが可能となる。
【０００６】
ところが、ＡＧＣ回路は、アンテナから受信される放送波信号の電界強度が弱い場合、上記ゲインを上げるように動作する。この場合、ＡＭ受信機のスピーカから放音されることとなる音声信号は、アンテナから受信される放送波信号の電界強度が弱くなるに従って、増幅器等から発生するノイズの割合が増えてしまう。即ち、音声信号のＳＮ比（Signal to Noise ratio：信号対雑音比）が低下することとなる。
【特許文献１】特開平７−２２９７５号公報
【発明の開示】
【発明が解決しようとする課題】
【０００７】
受信を希望する放送局（希望局）に対し、当該希望局の放送波周波数に近い周波数の妨害局があった場合、ＡＭ受信機にて希望局を選局すると、希望局の放送波信号に妨害局の周波数が影響することとなる。この場合、ＡＧＣ回路は、希望局、妨害局からの信号の受信レベルをともに下げるように動作し、フロントエンド部やＩＦ部におけるゲインを小さくなるように調整する。これにより、選局の対象となる希望局は妨害局からの影響によって抑圧されることとなる。
【０００８】
上記の抑圧を防止するためには、ＡＧＣ回路のゲインを上げればよい。しかしながら、ＡＧＣ回路のゲインを単に上げるだけでは、ＩＦ部のダイナミックレンジの制約があるために、音声信号の飽和ＳＮが悪化してしまう問題があった。  
そこで、本発明は、抑圧特性を改善するＡＭ受信回路を提供することを目的とする。
【課題を解決するための手段】
【０００９】
前記課題を解決するための主たる発明は、アンテナで受信された放送波信号から中間周波信号を生成し、当該中間周波信号を増幅して出力する中間周波増幅部と、前記放送波信号の電界強度に応じて、前記中間周波増幅部のゲインを設定するＡＧＣ（Automatic Gain Control）部と、前記中間周波増幅部から出力される中間周波信号を検波するＡＭ検波部と、を備えたＡＭ受信回路において、前記音声信号の所定周波数帯域を抽出するフィルタ部と、前記フィルタ部から抽出される前記所定周波数帯域の音声信号をブーストまたはアッテネートする増幅部と、前記放送波信号の電界強度に応じて、前記フィルタ部のフィルタ特性の制御および前記増幅部のブースト機能またはアッテネート機能の設定を行う制御部と、を有する音質補正部、を備えたことを特徴とする。
【発明の効果】
【００１０】
本発明によれば、抑圧特性を改善したＡＭ受信回路を提供することが可能となる。
【発明を実施するための最良の形態】
【００１１】
本明細書および添付図面の記載により、少なくとも以下の事項が明らかとなる。
【００１２】
＝＝＝ＡＭ受信回路の全体構成＝＝＝
図１および図２を参照しつつ、本発明のＡＭ受信回路１０の全体構成について説明する。図１は、本発明のＡＭ受信回路を示すブロック図である。図２は、受信放送波電界強度に対するＩＦ信号搬送波強度信号およびシグナルメータ信号の強度の関係を示す特性図である。
【００１３】
放送波信号は、アンテナ１２で受け、ＦＥ（フロントエンド）部１４に入力される。ＦＥ部１４は、放送波（ＲＦ）信号を同期選択して出力する。ここで、ＦＥ部１４は、ＲＦ信号を増幅するためのＲＦ増幅器を備えてもよい。
【００１４】
ＩＦ部１６は、搬送波周波数の変換を行う機能を有し、所望の放送波周波数より所定の周波数（通常４５０ｋＨｚ）異なる信号を出力する局部発振器と、前記放送波信号と局部発振信号とを混合する混合器とを備え、受信した放送波信号の搬送波を、所定の中間周波数（通常４５０ｋＨｚ）に変換する。さらに、この中間周波数を、当該中間周波数を中心周波数とするバンドパスフィルタ（ＢＰＦ）によって抽出し、放送波信号と同じ情報の振幅変調信号であるＩＦ信号とし、増幅器によって増幅して出力する。ここで、ＩＦ部１６は、４５０ＫＨｚを搬送波とするＩＦ信号を生成する１段構成としたが、一旦１０．７ＭＨｚにアップコンバートするファーストＩＦ段と、このファーストＩＦ段から得られるファーストＩＦ信号を４５０ｋＨｚにダウンコンバートするセカンドＩＦ段との２段構成としてもよい。１０．７ＭＨｚのＩＦ信号はＦＭ受信回路において用いられる周波数であり、この構成によれば、ＡＭ放送波信号とＦＭ放送波信号とを受信する受信機において、ＩＦ部以降の回路を共有することができる。
【００１５】
ＩＦ部１６への入力信号強度は、アンテナ１２にて受信される放送波信号の強度、すなわち、放送波信号の電界強度に比例し、受信場所や受信局によってその電界強度が変化した場合に、その出力信号レベルも変動し、出力される音声信号のレベルも変動してしまう。そこで、ＩＦ部１６の出力信号レベルを一定に保つためのＩＦ−ＡＧＣ回路１８（ＡＧＣ部：自動利得制御回路）を備える。ＩＦ−ＡＧＣ回路１８は、ＩＦ部１６から出力される中間周波信号の出力の一部が入力され、ダイオードで振幅に比例した直流電圧（ＡＧＣ電圧：シグナルメータ信号）を作り、そのシグナルメータ信号に基づいて、ＩＦ部１６の増幅器のゲイン（利得）を制御する。すなわち、ＩＦ−ＡＧＣ回路１８は、受信された放送波信号の電界強度が弱いときにＩＦ部１６の増幅器のゲインを上げ、受信された放送波信号の電界強度が強いときにＩＦ部１６の増幅器のゲインを下げ、受信された放送波信号の電界強度の変動が音声信号のレベル変動として現れないようにする。
【００１６】
シグナルメータ信号は、２段構成を成すＩＦ部においては、ファーストＩＦ段の出力から作っても良いし、セカンドＩＦ段の出力から作っても良い。また、ＩＦ信号をデジタル信号化して復調するＤＳＰ（デジタルシグナルプロセッサ）構成の受信回路においては、デジタルＩＦ信号から演算により作っても良い。
【００１７】
ＩＦ部１６の出力信号は、ＡＭ検波部２０に入力される。ＡＭ検波部２０は、ＩＦ部１６から出力される中間周波信号の搬送波成分を取り除き、もとの変調信号である音声信号を得る。
【００１８】
ＡＭ検波部２０から出力された音声信号は音質補正部２２に入力される。音質補正部２２は、音声信号の周波数特性を変化させ、音質を補正する。このような音質補正は、受信された放送波信号の電界強度に応じて行われることが望ましい。例えば、受信された放送波信号の電界強度が十分大きい場合、音質補正は必要とはならないが、受信された放送波信号の電界強度が小さいとき、ＩＦ−ＡＧＣ回路１８によりＩＦ部１６の有する増幅回路のゲインが大きくなるため、増幅回路から発生する広い帯域に及ぶノイズの割合が音声信号に対して大きくなる。このような場合、音声信号の中心周波数から外れた帯域を減衰させて、音声信号に対するノイズの割合を減少させ、聴感上の耳障りを抑制したり、全体に出力レベルを上げて、音声信号を聞き取りやすくしたり、さらにこれらを組み合わせたりする。これらの補正は、受信された放送波信号の電界強度に応じて切り替えることとしても良いし、受信された放送波信号の電界強度に比例させて補正の程度を変更しても良い。音質補正部２２はアナログ回路から構成しても良いし、デジタル信号で処理を行うＤＳＰ（デジタルシグナルプロセッサ）で構成しても良い。尚、音質補正部２２の詳細については後述する。
【００１９】
音質補正部２２から出力される音声信号は、後段の増幅回路（不図示）に送られて増幅された後、更に後段のスピーカ等（不図示）から出力される。
【００２０】
本実施の形態において、受信された放送波信号の電界強度の検出を、ＩＦ信号の搬送波強度に基づいて行い、音質補正部２２は、受信された放送波信号の電界強度が弱い場合、そのＩＦ信号搬送波強度に応じて音質の補正を行う。ここで、ＩＦ信号搬送波強度は、ＩＦ部１６から出力されたＩＦ信号の搬送波周波数成分をＢＰＦ３４（中間周波用フィルタ）で抽出し、そのＩＦ信号の搬送波を積分器３６で直流電圧信号（ＩＦ信号搬送波強度信号）に変換した信号として得られる。したがって、この方法によれば、ＩＦ信号の搬送波周波数成分の強度を検出するため、受信された放送波信号の電界強度が小さい場合でも、当該電界強度を反映した電界強度情報を得ることができる。ＢＰＦ３４は、搬送波周波数成分だけを鋭く選択するほど、他の周波数のノイズの影響を排除することができる。ＩＦ信号強度検出部３０では、ＩＦ搬送波周波数成分のみ通過させればよいため、音声信号用のＩＦ信号セラミックフィルタより狭帯域のＢＰＦを用いることが望ましい。また、ＩＦ信号をデジタル信号化した場合には、デジタル信号処理により狭帯域なＢＰＦ処理を行うことが好ましい。
【００２１】
図２に受信された放送波信号の電界強度に対する、ＩＦ信号搬送波強度信号およびシグナルメータ信号の強度を示す。受信された放送波信号の電界強度がＥ１以下（所定値より小）では、増幅器の増幅率の限界によりＩＦ−ＡＧＣ回路１８が機能しないため、シグナルメータ信号は出力されないが、この電界強度に応じたＩＦ信号搬送波強度信号は出力される。
【００２２】
従って、受信された放送波信号の電界強度がＥ１以下では、ＩＦ信号搬送波強度がこのときの電界強度を反映する情報となる。ここで、シグナルメータ信号が出力され始める電界強度（Ｅ１）は、受信回路のＦＥ部、ＩＦ部の回路構成等によっても異なるが１０〜１５ｄＢμＶ程度である。
【００２３】
本実施の形態によれば、シグナルメータ信号が出力されないような弱電界強度（Ｅ１以下）においても、ＩＦ信号搬送波強度に基づいて、正確な放送波信号の電界強度情報を得ることができ、その電界強度に応じて音質の補正を最適に行うことができる。
【００２４】
この放送波信号の電界強度情報の検出構成は、ＦＭ受信回路に比較して、ＡＭ受信回路において特に有用である。ＦＭ受信回路においては、ＩＦ信号周波数である４５０ｋＨｚの搬送波強度は電界強度によらず、リミッタ増幅回路によりほぼ一定になるのに対し、ＡＭ受信回路においては、受信された放送波信号の電界強度が弱い場合、ＩＦ信号波は受信された放送波信号の電界強度を反映したものになるためである。
【００２５】
ここで、音質補正部２２は、図２の横軸で示す受信放送波電界強度、つまり受信された放送波信号の電界強度がＥ１以上の場合、シグナルメータ信号に基づいて音質補正を行うことが好ましい。受信された放送波信号の電界強度がＥ１以上の場合、ＩＦ−ＡＧＣ回路１８によりＩＦ部１６から出力されるＩＦ信号の搬送波強度は一定となり、ＩＦ信号の搬送波周波数成分の強度は、受信された放送波信号の電界強度の情報とはならない。この場合、シグナルメータ信号が受信された放送波信号の電界強度を反映する情報となり、音質補正部２２は、シグナルメータ信号に基づいて音質補正を行うことにより、受信放送波電界強度に応じ、適切な音質補正を行うことができる。
【００２６】
音質補正部２２において、その音質補正を、受信された放送波信号の電界強度が弱い場合にＩＦ信号搬送波強度に基づいて行い、受信された放送波信号の電界強度が強い場合にシグナルメータ信号に基づいて行うことは、両者の信号を加算することにより、実現することができる。これは、図２に示すように、受信された放送波信号の電界強度が弱い場合（Ｅ１以下）では、シグナルメータ信号は出力されず、受信された放送波信号の電界強度が強い場合（Ｅ１以上）では、ＩＦ信号搬送波強度が一定となるため、両者の加算信号は、受信された放送波信号の電界強度が弱い場合（Ｅ１以下）でも、強い場合（Ｅ１以上）でも、受信された放送波信号の電界強度を反映したものとなるためである。また、加算せず、両者をＩＦ信号搬送波強度が所定の強度（例えば電界強度Ｅ１に対応する強度）となる場合、もしくはシグナルメータ信号強度が所定の強度（例えば電界強度Ｅ１に対応する強度）となる場合に切り替えることとしてもよい。
【００２７】
更に、ＡＭ受信回路１０において、ＲＦ−ＡＧＣ回路（不図示）を備え、ＦＥ部１４の出力信号強度に応じてＦＥ部１４に備えられたＲＦアンプの増幅率を制御してもよい。この場合、ＲＦ−ＡＧＣ回路は、ＲＦ−ＡＧＣ制御電圧（ＲＦ−シグナルメータ信号）を出力し、これを前記説明した、ＩＦ−ＡＧＣ回路１８が出力するシグナルメータ信号に代えてもよし、両者を選択、加算、組み合わせ等した信号をシグナルメータ信号とすることもできる。
【００２８】
＝＝＝音質補正部の構成＝＝＝
図３、図４、図５、図６を参照しつつ、本発明のＡＭ受信回路に適用する音質補正部の構成および動作について説明する。図３は、本発明のＡＭ受信回路に適用する音質補正部の構成を示すブロック図である。図４は、音声補正部を構成する低域通過フィルタ（ＬＰＦ）の特性を示す特性図である。図５は、音声補正部を構成する高域通過フィルタ（ＨＰＦ）の特性を示す特性図である。尚、図４および図５において、横軸は、受信される放送波信号の電界強度（ｄＢμＶ）を示し、縦軸はフィルタのかかり具合を示す。図４のフィルタのかかり具合は、１から０になるにつれて、低域通過フィルタが高域側の周波数成分をより減衰することを表す。また、図５のフィルタのかかり具合は、１から０になるにつれて、高域通過フィルタが低域側の周波数成分をより減衰することを表す。また、図６は、音声補正部を構成する増幅部の特性を示す特性図である。図６において、横軸は、受信される放送波信号の受信強度（ｄＢμＶ）を示し、縦軸は、音声信号の出力レベル（ｄＢ）を示している。また、図６には、△で記す特性線、◆で記す特性線、×で記す特性線、□で記す特性線が記載されている。△で記す特性線は、増幅部が、入力される音声信号に対して、シグナルメータ信号による制御を「あり」の状態でブーストを施したことを示すものである。◆で記す特性線は、入力される音声信号に対して、シグナルメータ信号による制御を「なし」の状態でブーストを施したことを示すものである。×で記す特性線は、増幅部が、入力される無音信号（ノイズ）に対して、シグナルメータ信号による制御を「あり」の状態でアッテネートを施したことを示すものである。また、□で記す特性線は、入力される無音信号（ノイズ）に対して、シグナルメータ信号による制御を「なし」の状態でアッテネートを施したことを示すものである。更に、増幅部におけるブースト機能またはアッテネート機能の設定にシグナルメータ信号を使用する場合、電界強度Ｅ１以下では、ＩＦ信号の搬送波強度信号を使用し、電界強度Ｅ１以上では、シグナルメータ信号を使用することとする。
【００２９】
音質補正部２２は、ＬＰＦ４２（フィルタ部、低域フィルタ）と、ＨＰＦ４４（フィルタ部、高域フィルタ）と、増幅部４６と、制御部４８と、を有する。
【００３０】
アンテナ１２で受信された放送波信号の電界強度が弱いほど、ＩＦ−ＡＧＣ回路１８はＩＦ部１６の有する増幅回路のゲインを大きく設定するため、音声信号に対するノイズの割合は増大する。この場合、音声信号の高域側の周波数成分を減衰させることにより、音声信号のＳＮ比を改善し、聴感上のノイズ感を低減することが可能となる。ＬＰＦ４２は、このような聴感上の音のノイズ感を低減することを目的として設けられたものである。図４に示すように、ＬＰＦ４２のフィルタのかかり具合（フィルタ特性）は、後述する制御部４８の制御出力に応じて制御される。例えば、受信される放送波信号の電界強度が約２０〜４５ｄＢμＶの範囲において、ＬＰＦ４２のフィルタ特性は、当該電界強度が弱くなるにつれて、音声信号の高域側の周波数帯域をより減衰する特性となる。
【００３１】
ＬＰＦ４２を通過した音声信号の高域側の周波数成分が比較的大きく減衰されると、聴感上の音のバランスが崩れてしまい、こもった音となってしまったり、低域側の音が響きすぎることがある。そこで、ＨＰＦ４４は、このような聴感上の音のバランス崩れを防止するために設けられたものである。図５に示すように、ＨＰＦ４４のフィルタのかかり具合（フィルタ特性）は、後述する制御部４８の制御出力に応じて制御される。例えば、受信される放送波信号の電界強度が約１０〜３５ｄＢμＶの範囲において、ＨＰＦ４４のフィルタ特性は、当該電界強度が弱くなるにつれて、音声信号の低域側の周波数帯域をより減衰する特性となる。
【００３２】
これにより、ＬＰＦ４２およびＨＰＦ４４を通過した音声信号は、受信された放送波信号の電界強度に応じて、音声信号の中心周波数から外れた高域側および低域側の周波数帯域を効果的に減衰された信号となる。尚、本実施の形態では、受信された放送波信号の電界強度がＥ１以上の範囲でＬＰＦ４２およびＨＰＦ４４のフィルタ特性を変えるため、ＬＰＦ４２およびＨＰＦ４４は、ＩＦ−ＡＧＣ回路１８から出力されるシグナルメータ信号の強度に応じてフィルタ特性が制御されることとなる。
【００３３】
増幅部４６は、ＨＰＦ４４を通過した音声信号をブーストするブースト機能または当該音声信号をアッテネートするアッテネート機能の何れかに設定されるものである。増幅部４６におけるブースト機能またはアッテネート機能の設定は、上記の制御部４８によって行われる。
【００３４】
選局する希望の放送局が妨害局からの影響によって抑圧されている場合、ＩＦ部１６の増幅回路のゲインはＩＦ−ＡＧＣ回路１８に制御されて小さくなる。これでは、ＡＭ検波部２０からは抑圧を受けたままの状態の音声信号が出力される。そこで、増幅部４６は、選局が行われて抑圧を受けた時点の、ＩＦ−ＡＧＣ回路１８から出力されるシグナルメータ信号または積分器３６から出力される搬送波信号強度信号の何れかが入力されることによって、所定の増幅率を有するブースト機能に設定される。これにより、ＬＰＦ４２およびＨＰＦ４４を通過して高域側および低域側の周波数成分を効果的に減衰された音声信号は、図６に示すようにブーストされることとなる。例えば、選局を希望する放送局が抑圧を受けていて、電界強度が２０ｄＢμＶから４０ｄＢμＶ付近までとなった場合、ＡＭ検波器２０から出力される音声信号に対して何も音質補正を施さなければ、音声信号のレベルが下がるため、ノイズ感を悪化させたりすることとなる。本実施の形態によれば、希望する放送局が他局に妨害されて抑圧されている場合、ＩＦ部１６の増幅回路のゲインを単に上げることなく、音声補正部２２内の増幅部４６においてブーストを行うため、抑圧特性が改善され、音声信号のノイズ感、こもり感、聴感の悪化を軽減することが可能となる。
【００３５】
一方、アンテナ１２で受信した放送波信号の電界強度が非常に弱く、音声信号成分がノイズにうもれてしまうような場合、ＩＦ部１６の増幅回路のゲインはＩＦ−ＡＧＣ回路１８に制御されて大きくなる。これでは、ＡＭ検波部２０からは、聴感上でノイズだけのような音声信号が出力される。そこで、増幅部４６は、ＩＦ−ＡＧＣ回路１８から出力されるシグナルメータ信号または積分器３６から出力される搬送波信号強度信号の何れかが入力されることによって、所定の減衰率を有するアッテネート機能に設定される。これにより、ＬＰＦ４２およびＨＰＦ４４を通過して高域側および低域側の周波数成分を効果的に減衰された音声信号は、図６に示すようにアッテネートされることとなる。例えば、ＳＮ比を取れなくなる電界強度（例えば２０ｄＢμＶ）では、ＡＭ検波器２０から出力される音声信号に対して何も音質補正を施さなければ、ノイズ感を悪化させたりすることとなる。本実施の形態によれば、弱電界のほとんどノイズの放送波信号を受信した場合、ＩＦ部１６の増幅回路のゲインに関わらず、音声補正部２２内の増幅部４６においてアッテネートを行うため、ノイズによる不快感を軽減することが可能となる。
【００３６】
制御部４８は、例えばＩＦ−ＡＧＣ回路１８から出力されるシグナルメータ信号と積分器３６から出力される搬送波信号強度信号とが加算されて、放送波信号の電界強度を示す信号として、供給されるものである。放送波信号の電界強度に応じて制御部４８から出力される制御信号は、ＬＰＦ４２、ＨＰＦ４４、増幅部４６に共通して入力されており、ＬＰＦ４２、ＨＰＦ４４のフィルタ特性と、増幅部４６のブースト機能またはアッテネート機能の設定とを同時に実行することが可能となる。
【００３７】
尚、受信される放送波信号の受信強度が常にＥ１以上となるような受信環境であるならば、制御部４８は、シグナルメータ信号のみが入力されることとしてもよい。
【００３８】
以上説明したように、アンテナ１２で受信された放送波信号から中間周波信号を生成し、当該中間周波信号を増幅して出力するＦＥ部１４およびＩＦ部１６と、放送波信号の電界強度に応じて、ＩＦ部１６内の増幅回路のゲインを設定するＩＦ−ＡＧＣ回路１８と、ＩＦ部１６から出力される中間周波信号を検波するＡＭ検波部２０と、を備えたＡＭ受信回路において、音声信号の所定周波数帯域を抽出するフィルタ部４２、４４、フィルタ部４２、４４から抽出される所定周波数帯域の音声信号をブーストまたはアッテネートする増幅部４６と、放送波信号の電界強度に応じて、フィルタ部４２、４４のフィルタ特性の制御および増幅部４８のブースト機能またはアッテネート機能の設定を行う制御部４８と、を有する音質補正部２２、を備えたものである。これにより、抑圧特性の改善や、ノイズによる不快感を軽減して、効果的な音質補正を行うことが可能となる。
【００３９】
以上、本発明にかかるＡＭ受信回路について説明したが、上記の説明は、本発明の理解を容易とするためのものであり、本発明を限定するものではない。本発明は、その趣旨を逸脱することなく、変更、改良され得るとともに、本発明にはその等価物が含まれることは勿論である。
【図面の簡単な説明】
【００４０】
【図１】本発明のＡＭ受信回路を示すブロック図である。
【図２】受信放送波電界強度に対するＩＦ信号搬送波強度信号およびシグナルメータ信号の強度の関係を示す特性図である。
【図３】本発明のＡＭ受信回路に適用する音質補正部の構成を示すブロック図である。
【図４】音声補正部を構成する低域通過フィルタ（ＬＰＦ）の特性を示す特性図である。
【図５】音声補正部を構成する高域通過フィルタ（ＨＰＦ）の特性を示す特性図である。
【図６】音声補正部を構成する増幅部のブーストおよびアッテネートの特性を示す特性図である。
【符号の説明】
【００４１】
１２  アンテナ
１４  ＦＥ部
１６  ＩＦ部
１８  ＩＦ−ＡＧＣ回路
２０  ＡＭ検波部
２２  音質補正部
３４  ＢＰＦ
３６  積分器
４２  ＬＰＦ
４４  ＨＰＦ
４６  増幅部
４８  制御部
【図１】
2005286789.tif 000003
【図２】
2005286789.tif 000004
【図３】
2005286789.tif 000005
【図４】
2005286789.tif 000006
【図５】
2005286789.tif 000007
【図６】
2005286789.tif 000008